(57)【要約】【課題】少ない部材による簡単な構成により、アンカーを備えていないＡＬＣ外壁を建物躯体に固定することができると共に、座掘りの作業や、座掘部分の補修を要しない外壁固定構造を得る。【解決手段】外壁固定構造３４は、アンカーを備えず、基準幅よりも幅狭のＡＬＣ外壁パネル２２と、ＡＬＣ外壁パネル２２の意匠面側からＡＬＣ外壁パネル２２を貫通するビス３６により、ＡＬＣ外壁パネル２２の裏面２２Ｂに固定される補強板３８と、を備えている。補強板３８は、ＡＬＣ外壁パネル２２の裏面２２Ｂに当接してＡＬＣ外壁パネル２２の下端から上端近傍まで延在されると共に、上部及び下部に梁４４又は基礎６０に直接又は他の部材を介して取り付け可能に構成された上側取付部材４２及び基礎側取付部材７２がそれぞれ設けられている。【選択図】図４
2019124005.tif 000002
【特許請求の範囲】
【請求項１】
アンカーを備えず、基準幅よりも幅狭のＡＬＣ外壁パネルと、
前記ＡＬＣ外壁パネルの意匠面側から前記ＡＬＣ外壁パネルを貫通するビスにより、前記ＡＬＣ外壁パネルの裏面に固定され、前記ＡＬＣ外壁パネルの前記裏面に当接して前記ＡＬＣ外壁パネルの下端から上端近傍まで延在されると共に、上部及び下部に梁又は基礎に直接又は他の部材を介して取り付け可能に構成された上部取付部材及び下部取付部材がそれぞれ設けられた補強板と、
を備える外壁固定構造。
【請求項２】
前記上部取付部材は前記梁に直接取り付け可能に構成され、
前記下部取付部材は前記基礎に固定されると共に柱の下端部が接続される柱脚プレートを介して前記基礎に取り付け可能に構成されている、請求項１に記載の外壁固定構造。
【請求項３】
前記上部取付部材及び前記下部取付部材は前記梁に直接取り付け可能に構成されている、請求項１に記載の外壁固定構造。
【請求項４】
前記上部取付部材は前記梁に直接取り付け可能に構成され、
前記下部取付部材は前記梁に固定された防水下地材を介して前記梁に取り付け可能に構成されている、請求項１に記載の外壁固定構造。
【請求項５】
前記補強板は、前記ＡＬＣ外壁パネルの裏面から前記ＡＬＣ外壁パネルの側面に沿って略垂直に折り曲げられている折り曲げ部を備える、請求項１〜４のいずれか一項に記載の外壁固定構造。
【請求項６】
前記上部取付部材及び前記下部取付部材は、前記補強板に溶接によって固定されており、前記上部取付部材及び前記下部取付部材の少なくとも一方は、前記梁又は前記基礎に少なくとも２点で固定されている、請求項１〜５に記載の外壁固定構造。
【請求項７】
前記折り曲げ部に、他の建築部材が固定されている、請求項５に記載の外壁固定構造。
【発明の詳細な説明】
【技術分野】
【０００１】
本発明は、建物の外壁固定構造に関する。
【背景技術】
【０００２】
特許文献１には、内部にアンカーが埋設されていない薄物塗装ＡＬＣパネルの取付構造が開示されている。このＡＬＣパネルの取付構造で使用される取付け金具は、起立片と小口面当接片とが略目地間隔の小間隔を形成するように設けられると共に、ナットが起立して固設された構造を有し、ＡＬＣパネルの表面側に掘られた座掘部から挿入されたボルトがナットと螺合されることにより取付け金具とＡＬＣパネルとが固定される。
【０００３】
上記構成のＡＬＣパネルの取付構造によれば、ＡＬＣパネルの表面側からのみ取付け可能であり、ＡＬＣパネル端面を所定位置に正確に位置させ、パネル間の目地部間隔を縮小化し、十分な取付け強度を有するというものである。
【先行技術文献】
【特許文献】
【０００４】
【特許文献１】特開平１０−１３１３６６号公報
【発明の概要】
【発明が解決しようとする課題】
【０００５】
ところで、建物の外壁としてＡＬＣ（軽量気泡コンクリート）パネルを使用する場合に、所定の基準幅を有するＡＬＣパネルの縦壁を用い、例えばＡＬＣパネルの幅方向中間部に設置されたアンカーと取付け金物とにより建物躯体にＡＬＣパネルを取り付ける工法がある。ここで、所定の基準幅よりも幅狭のＡＬＣパネルを用いることができれば、例えばサッシ等の開口部分を端に寄せる等の設計の自由度が増す。しかし、幅狭のＡＬＣパネルを得るために所定の基準幅を有するＡＬＣパネルを加工する際に、アンカーを含む部分が切り落とされ、得られた幅狭のＡＬＣパネルがアンカーを備えていない構造となってしまう場合には、外壁の固定構造を別途設ける必要が生じる。
【０００６】
また、アンカーを備えていない薄物塗装ＡＬＣパネルに対して提案されている従来技術のＡＬＣパネルの取付構造は、使用する取付け金具の構造が複雑であると共に、取付け強度を向上させるためには、別途他の固定金具を他の建物躯体に取り付ける必要があることから、部材点数が増加する。更に、ＡＬＣパネルの表面側に掘られた座掘部からボルトを挿入して取り付けることから、座掘部分の補修が必要となる。
【０００７】
本発明は上記事実を考慮し、アンカーを備えていない幅狭のＡＬＣ外壁パネルを補強しつつ、より少ない部材による簡単な構成により梁又は基礎に固定することができると共に、座掘り及び座掘部分の補修を要しない、外壁固定構造を得ることが目的である。
【課題を解決するための手段】
【０００８】
第１の態様に係る外壁固定構造は、アンカーを備えず、基準幅よりも幅狭のＡＬＣ外壁パネルと、前記ＡＬＣ外壁パネルの意匠面側から前記ＡＬＣ外壁パネルを貫通するビスにより、前記ＡＬＣ外壁パネルの裏面に固定され、前記ＡＬＣ外壁パネルの前記裏面に当接して前記ＡＬＣ外壁パネルの下端から上端近傍まで延在されると共に、上部及び下部に梁又は基礎に直接又は他の部材を介して取り付け可能に構成された上部取付部材及び下部取付部材がそれぞれ設けられた補強板と、を備える。
【０００９】
第１の態様に係る外壁固定構造によれば、アンカーを備えず基準幅よりも幅狭のＡＬＣ外壁パネルの裏面にビス固定された補強板が、ＡＬＣ外壁パネルに当接してＡＬＣ外壁パネルの下端から上端近傍まで延在されることにより、幅狭のＡＬＣ外壁パネルが補強される。補強板は、補強板の上部及び下部に設けられた上部取付部材及び下部取付部材により梁又は基礎に取り付けられ、結果としてＡＬＣ外壁パネルが梁又は基礎に固定されることとなる。補強の機能を有する補強板に取付部材が設けられている構成を採用することにより、補強板と取付部材とをＡＬＣ外壁パネルに固定して、更に取付部材により建物躯体に固定する場合に比べて、少ない部材による簡単な構成で、アンカーを備えていないＡＬＣ外壁パネルを梁又は基礎に固定することできる。
【００１０】
また、ＡＬＣ外壁パネルの裏面に補強板を固定するために、ＡＬＣ外壁パネルの意匠面側から挿入されるビスが用いられる。このため、ビスの頭部の径を有する小さな凹みをパテで埋める作業だけで済み、ボルト、ナット及び座金等をＡＬＣ外壁パネルに埋設する場合に必要となる座掘りの作業や、座掘部分の補修を要しない。
【００１１】
第２の態様に係る外壁固定構造は、第１の態様に係る外壁固定構造において、前記上部取付部材は前記梁に直接取り付け可能に構成され、前記下部取付部材は前記基礎に固定されると共に柱の下端部が接続される柱脚プレートを介して前記基礎に取り付け可能に構成されている。
【００１２】
第２の態様に係る外壁固定構造によれば、上部取付部材は梁に直接固定され、下部取付部材は基礎に固定された柱脚プレートを介して基礎に固定される。他の建築部材の固定にも使用される柱脚プレートを利用するため、ＡＬＣ外壁パネルを固定するための追加の部材を要さず、アンカーを備えていない幅狭のＡＬＣ外壁パネルであっても少ない部材による簡単な構成によりＡＬＣ外壁パネルを梁又は基礎に固定することができる。
【００１３】
第３の態様に係る外壁固定構造は、第１の態様に係る外壁固定構造において、前記上部取付部材及び前記下部取付部材は前記梁に直接取り付け可能に構成されている。
【００１４】
第３の態様に係る外壁固定構造によれば、補強板に設けられた上部取付部材及び下部取付部材が梁に直接取り付けられることによりＡＬＣ外壁パネルが固定される。上部取付部材及び下部取付部材が建物躯体である梁に直接固定されることから、アンカーを備えていない幅狭のＡＬＣ外壁パネルであっても、少ない部材による簡単な構成により建物躯体に固定することができる。
【００１５】
第４の態様に係る外壁固定構造は、第１の態様に係る外壁固定構造において、前記上部取付部材は前記梁に直接取り付け可能に構成され、前記下部取付部材は前記梁に固定された防水下地材を介して前記梁に取り付け可能に構成されている。
【００１６】
第４の態様に係る外壁固定構造によれば、下部取付部材は防水下地材を介して梁に固定される。梁に直接固定することが困難な構成においても、防水下地材を利用するため、ＡＬＣ外壁パネルを固定するための追加の部材を要さず、アンカーを備えていない幅狭のＡＬＣ外壁パネルであっても少ない部材による簡単な構成によりＡＬＣ外壁パネルを梁に固定することができる。
【００１７】
第５の態様に係る外壁固定構造は、第１〜第４の何れかの態様に係る外壁固定構造において、前記補強板は、前記ＡＬＣ外壁パネルの裏面から前記ＡＬＣ外壁パネルの側面に沿って略垂直に折り曲げられている折り曲げ部を備える。
【００１８】
第５の態様に係る外壁固定構造によれば、ＡＬＣ外壁パネルの裏面に固定された補強板が、ＡＬＣ外壁パネルの側面に沿って折り曲げられている折り曲げ部を備えるので、補強板をＡＬＣ外壁パネルに固定する際の幅方向の位置決めが容易となる。また、補強板に折り曲げ部が設けられていることにより、補強板の剛性が増す。このため、ＡＬＣ外壁パネルの裏面に当接している補強板の撓み及び捩れが抑制される。その結果、ＡＬＣ外壁パネルの破損等を抑制又は防止することができる。
【００１９】
第６の態様に係る外壁固定構造は、第１〜第５の何れかの態様に係る外壁固定構造において、前記上部取付部材及び前記下部取付部材は、前記補強板に溶接によって固定されており、前記上部取付部材及び前記下部取付部材の少なくとも一方は、前記梁又は前記基礎に少なくとも２点で固定されている。
【００２０】
第６の態様に係る外壁固定構造によれば、上部取付部材及び下部取付部材は、補強板に溶接によって固定されているため、補強板に強固に固定することができる。また、上部取付部材及び下部取付部材の少なくとも一方は、梁又は基礎に対して少なくとも２点で固定されているため、１点で固定している場合に比べて補強板の回転を抑制又は防止することができ、結果としてＡＬＣ外壁パネルの固定をより強固にすることができる。
【００２１】
第７の態様に係る外壁固定構造は、第５の態様に係る外壁固定構造において、前記折り曲げ部に、他の建築部材が固定されている。
【００２２】
第７の態様に係る外壁固定構造によれば、補強板の折り曲げ部を、他の建築部材の固定のための下地とすることができるため、他の建築部材の固定のための追加の固定下地を要さず、ＡＬＣ外壁固定構造の一部を他の用途に有効活用することにより部材点数を削減することができる。
【発明の効果】
【００２３】
以上説明したように、本発明に係る外壁固定構造は、少ない部材による簡単な構成により、アンカーを備えていないＡＬＣ外壁を梁又は基礎に固定することができると共に、座掘りの作業や、座掘部分の補修を要しないという優れた効果を有する。
【図面の簡単な説明】
【００２４】
【図１】本実施形態に係る外壁固定構造が適用された建物の２階部分の一部を示す平断面図である。
【図２】図１のＡ線矢視部の拡大平断面図であると共に、本実施形態に係る外壁固定構造を含む２階部分の入隅部を示す平断面図である。
【図３】基準幅のＡＬＣ外壁パネルを加工することによりアンカーを備えていない幅狭のＡＬＣ外壁パネルが得られる様子を示す概略図である。
【図４】本実施形態に係る外壁固定構造を示す縦断面図である。
【図５】（Ａ）は図４に示される外壁固定構造における、１階部分の補強板下部及び下部取付部材を示す斜視図であり、（Ｂ）は（Ａ）の下部取付部材が固定される柱脚プレートを示す平断面図である。
【図６】図４の６−６線断面図である。
【図７】本実施形態に係る外壁固定構造をバルコニーに面した２階部分の外壁に適用した場合の要部を示す拡大縦断面図である。
【図８】図７に示される下部取付部材と補強板との接合部を示す拡大図であり、（Ａ）は斜視図、（Ｂ）は縦断面図である。
【図９】本実施形態に係る外壁固定構造をパラペットに適用した場合の構成を示す縦断面図である。
【図１０】本実施形態に係る外壁固定構造の補強板がチャンバ扉枠の固定下地とされた場合の構成を示す平断面図である。
【発明を実施するための形態】
【００２５】
以下、図１〜図１０を用いて、本発明に係る外壁固定構造の実施形態について説明する。
【００２６】
＜外壁固定構造が適用された建物の構成＞
図１には、本実施形態に係る外壁固定構造が適用された建物の２階部分の一部を示す平断面図が示されている。建物１０は、一例として鉄骨軸組構造で建物躯体が構築された３階建ての住宅である。ここでは、本実施形態に係る外壁固定構造が適用された２階部分について説明する。図１に示されるように、建物１０の２階部分は、バルコニー１２、１４と、居室１６、１８と、を含んで構成されている。また、建物１０の屋外側には、ＡＬＣ外壁パネル２０、２２が水平方向に複数並べて配置されており、バルコニー１２、１４に面した屋外側には、２つのＡＬＣ外壁パネル２０、２２が屋外側に略垂直の角度をなして立設され、入隅部２４、２６、２８が形成されている。入隅部２４、２６、２８を形成するＡＬＣ外壁パネル２２に隣接して、サッシ３０、３２が設けられている。入隅部２４、２６、２８を形成するＡＬＣ外壁パネル２０、２２のうち、サッシ３０、３２に隣接するＡＬＣ外壁パネル２２は、サッシ３０、３２に隣接しないＡＬＣ外壁パネル２０と比べて幅狭に形成されている。
【００２７】
図２は、図１のＡ線矢視部の拡大平断面図であると共に、本実施形態に係る外壁固定構造３４を含む２階部分の入隅部２４が示されている。詳細については後述するが、２階部分の外壁固定構造３４は、幅狭のＡＬＣ外壁パネル２２と、ビス３６によりＡＬＣ外壁パネル２２に固定された補強板３８と、補強板３８の屋内側表面（裏面）の上部に固定されたＬ字状の「下部取付部材」としての下側取付部材４０と、「上部取付部材」としての上側取付部材４２（図４参照）と、を含んで構成されている。
【００２８】
図３（Ａ）、（Ｂ）には、基準幅（例えば４９０ｍｍ）のＡＬＣ外壁パネル５０、５０’を切断することにより、アンカーを全く又は一部備えていない幅狭ＡＬＣ外壁パネル２２、２２’が得られる様子が示されている。図３（Ａ）に示されるように、基準幅のＡＬＣ外壁パネル５０には、幅方向中央部の上下２箇所にアンカー５２、５４が埋設されている。基準幅のＡＬＣ外壁パネル５０を一本の直線である仮想線Ｂで切断することにより、アンカー５２、５４を含まない幅狭のＡＬＣ外壁パネル２２が得られる。別の例として、図３（Ｂ）に示されるように、基準幅のＡＬＣ外壁パネル５０’をクランク状の仮想線Ｃで切断することにより、上側のアンカー５２’のみを含み、下側のアンカー５４’を含まない幅狭のＡＬＣ外壁パネル２２’が得られる。一例として、図３（Ａ）に示される矩形状の幅狭のＡＬＣ外壁パネル２２は、上述の図１及び図２に示した入隅部２４、２６、２８において使用され、図３（Ｂ）示される逆Ｌ字状の幅狭のＡＬＣ外壁パネル２２’は、図示しない玄関扉開口部に隣接して配置される一般部の外壁パネルとして使用される。逆Ｌ字状の幅狭のＡＬＣ外壁パネル２２’を更に上下２つの矩形状のパネルに分割して、アンカー５２’を含むＡＬＣ外壁パネルと、アンカーを全く含まない幅狭のＡＬＣ外壁パネルとを得て、このアンカーを全く含まない幅狭のＡＬＣ外壁パネルに本実施形態に係る外壁固定構造３４を適用してもよい。
なお、本明細書における「基準幅」とは、同一規格のＡＬＣ外壁パネルを一定数製造する際に採用される幅を指し、本実施形態では基準幅を４９０ｍｍとしているが、例えば、意匠に採用される柄のサイズ等に応じて、基準幅は他の値であってもよい。
【００２９】
図４は、図１の４−４線断面図として示される２階部分の下部を示す縦断面図（一点鎖線２ＳＬよりも上側に図示）と、建物１０の他の箇所において本実施形態に係る外壁固定構造３４が適用された１階部分を示す縦断面図（一点鎖線２ＳＬよりも下側に図示）とを、説明の便宜のために同一図面に示したものである。この図に示されるように、外壁固定構造３４が適用された建物１０は、鉄骨軸組構造で構築された建物躯体の下側に、土台となるコンクリート製の基礎６０を備えている。基礎６０の上面には、図示しないアンカーボルトが所定の間隔で立設されている。また、柱が設置される箇所の基礎６０の上面には、平面視で矩形平板状の「他の部材」としての柱脚プレート６２が載置されている。図５（Ｂ）に示されるように、柱脚プレート６２の中央部には、図示しない柱の下端部が嵌合されると共に溶接等により柱に接合される柱嵌合部６４が形成されている。柱脚プレート６２には更に、長手方向両端部における中央部に柱嵌合部６４を挟んで一対のボルト挿通孔６６が形成されている。基礎６０の上面に立設された図示しないアンカーボルトが柱脚プレート６２のボルト挿通孔６６に挿入されて、図示しないナットによって締結固定されることにより、柱脚プレート６２が基礎６０上に固定されている。柱脚プレート６２の四隅には、雌ねじ部６８が形成されている。
【００３０】
図４に戻り、基礎６０上には、図示しない複数の柱が立設され、柱の上端部には、隣合う柱の上端部との間にＨ型鋼で構成された梁４４が架け渡されて１階部分を構成している。梁４４上には、図示しない２階部分の柱が立設されており、２階部分の柱の上端部に、図示しない梁が架け渡されている。建物躯体の一部を構成する梁４４は、図４の紙面と直交する方向を長手方向とするＨ型鋼で構成され、建物上下方向を板厚方向とする上フランジ４４Ａ及び下フランジ４４Ｂと、梁４４の幅方向を板厚方向とすると共に上フランジ４４Ａの下面と下フランジ４４Ｂ上面とをそれぞれの幅方向中央部において連結するウェブ４４Ｃと、を備えている。上フランジ４４Ａは、上面が上階のスラブライン（一点鎖線２ＳＬとして図示）を構成し、下フランジ４４Ｂは、柱により支持されている。上フランジ４４Ａ及び下フランジ４４Ｂには、ウェブ４４Ｃとの連結部位よりも屋内側と屋外側とに、それぞれ長手方向に複数の貫通孔４６（図６参照）が形成されている。
【００３１】
＜本実施形態の要部構成＞
次に、上記外壁固定構造３４の要部の構成について詳細に説明する。
【００３２】
図４に示されるように、１階部分の外壁固定構造３４は、幅狭のＡＬＣ外壁パネル２２と、ビス３６によりＡＬＣ外壁パネル２２に固定された補強板３８と、補強板３８の屋内側表面の上部に固定された「上部取付部材」としての上側取付部材４２と、「下部取付部材」としての基礎側取付部材７２と、を含んで構成されている。
【００３３】
外壁固定構造３４の要部を構成する幅狭のＡＬＣ外壁パネル２２は、矩形の板状に形成されて（図３（Ａ）参照）、１階スラブライン（一点鎖線１ＳＬとして図示）の上方から、２階スラブライン（一点鎖線２ＳＬとして図示）まで略垂直に延在されている。幅狭のＡＬＣ外壁パネル２２の裏面２２Ｂ（屋内側表面）には、ＡＬＣ外壁パネル２２の意匠面２２Ａ側（屋外側）から挿入されたビス３６により、補強板３８が固定されている。一例として、意匠面を含めたＡＬＣ外壁パネル２２の厚さは１００ｍｍ、幅は１６５ｍｍ、１７５ｍｍ、１８５ｍｍ等に構成されている。
【００３４】
図４、図５（Ａ）及び図６に示されるように、補強板３８は、ＡＬＣ外壁パネル２２の裏面２２Ｂに当接してＡＬＣ外壁パネル２２の下端から上端近傍まで延在される基部３８Ａと、基部３８Ａの幅方向一端から屋外側に延出されると共にＡＬＣ外壁パネル２２の裏面２２Ｂから一方の側面２２Ｃに沿って略垂直に折り曲げられて形成された折り曲げ部３８Ｂと、によって構成された金属製の板である。図６に示される態様では、補強板３８の基部３８Ａの幅はＡＬＣ外壁パネル２２の幅と同じであるが、他の部材、例えば開口フレームとの干渉を避けるために、補強板３８の基部３８Ａの幅がＡＬＣ外壁パネル２２の幅よりも狭くなるように構成してもよい。折り曲げ部３８Ｂは、補強板３８の下端から上端まで延在されると共に、基部３８Ａの幅方向一端から屋外側に略垂直に起立しており、ＡＬＣ外壁パネル２２の側面２２Ｃに当接されて、補強板３８をＡＬＣ外壁パネル２２に固定する際の幅方向の位置決めのガイドとなる。
【００３５】
図４及び図６に示されるように、補強板３８をＡＬＣ外壁パネル２２に固定するためのビス３６は、ＡＬＣ外壁パネル２２の意匠面２２Ａ側から挿入され、補強板３８の基部３８Ａを貫通して、基部３８Ａの屋外側に突出している。補強板３８の基部３８Ａの幅方向中央部にビス３６が配置されるように挿入され、かつ、垂直方向に所定のピッチ（例えば５００ｍｍ）で複数のビス３６が挿入されることにより、補強板３８がＡＬＣ外壁パネル２２に固定されている。なお、補強板３８をＡＬＣ外壁パネル２２にビス固定する前に、接着剤により仮固定してもよい。
【００３６】
図４に示されるように、１階部分の補強板３８の基部３８Ａの、ＡＬＣ外壁パネル２２に当接された面とは反対側の面（裏面）の下端には、柱脚プレート６２に取り付け可能に構成された「下部取付部材」としての基礎側取付部材７２が溶接により接合されている。また、基部３８Ａの裏面の上端には、梁４４の下フランジ４４Ｂに取り付け可能に構成された「上部取付部材」としての上側取付部材４２が溶接により接合されている。
【００３７】
図４及び図５（Ａ）に示されるように、基礎側取付部材７２は、基礎６０上に固定された柱脚プレート６２の上に載置される底壁部７２Ａと、梁４４の長手方向を板厚方向とする縦壁部７２Ｂとによって構成されており、屋外側から見てＬ字状に形成されている。図５（Ａ）に示されるように、底壁部７２Ａには挿通孔７４が形成されており、挿通孔７４が、柱脚プレート６２に形成された雌ねじ部６８（図５（Ｂ）参照）と同軸上に配置され、雄ねじ７０（図４参照）により締結固定されている。図５（Ａ）に示されるように、縦壁部７２Ｂは、屋外側の側面の上部が補強板３８の基部３８Ａの裏面の下端に当接されて、溶接により接合されている。縦壁部７２Ｂの屋外側の側面の下部は補強板３８の基部３８Ａに接合されておらず、縦壁部７２Ｂが基部３８Ａの下端よりも下側に突出しているため、底壁部７２Ａが補強板３８の基部３８Ａの下端よりも下方に位置している。これにより、ＡＬＣ外壁パネル２２は、ＡＬＣ外壁パネル２２の下端と基礎６０との間が上下方向に離間された状態で、基礎側取付部材７２を介して基礎６０上の柱脚プレート６２に固定されている（図４参照）。
【００３８】
図４及び図６に示されるように、上側取付部材４２は、梁４４の下フランジ４４Ｂの下面に当接されて締結固定されることにより梁４４に取り付けられる取付部４２Ａと、補強板３８の基部３８Ａの裏面の上端に溶接により接合された接合部４２Ｂとによって構成されており、ＡＬＣ外壁パネル２２の側面から見てＬ字状に形成されている。取付部４２Ａには、長手方向に２つの取付孔４８が形成されており（図６参照）、２つの取付孔４８の間隔は、梁４４の下フランジ４４Ｂに形成された貫通孔４６のうちの２つの間隔と同じになるように構成されている。取付部４２Ａの２つの取付孔４８が下フランジ４４Ｂの屋外側の２つの貫通孔４６と同軸上に配置され、下フランジ４４Ｂの側から挿入されたボルト７６がナット７８に螺合されて締結固定されている。このとき、取付部４２Ａの屋外側端部は、下フランジ４４Ｂの屋外側端部よりも屋外側に突出するように構成されている。これにより、梁４４の上フランジ４４Ａ及び下フランジ４４Ｂの屋外側端部と、ＡＬＣ外壁パネル２２の裏面との間は離間されて、躯体の建て方誤差等の調整代としてのクリアランスが設けられている。
【００３９】
上側取付部材４２の接合部４２Ｂは、屋外側の面の下部が補強板３８の基部３８Ａの裏面の上端に当接されて、溶接により接合されている。基部３８Ａの幅方向における接合部４２Ｂの固定位置は、梁４４の下フランジ４４Ｂの貫通孔４６の位置と、ＡＬＣ外壁パネル２２の設置位置との相対関係により決定されるので、図２及び図６に示されるように上側取付部材４２がＡＬＣ外壁パネル２２の幅方向外側に突出する位置に固定されてもよいし、ＡＬＣ外壁パネル２２の幅に収まる位置に固定されてもよい。また、基部３８Ａの幅方向における接合部４２Ｂの固定位置は、折り曲げ部３８Ｂが形成されている端部側に寄っていてもよいし（図６参照）、折り曲げ部３８Ｂとは反対側の端部に寄っていてもよい（図２参照）。なお、本実施形態では、「下部取付部材」としての基礎側取付部材７２が補強板３８の下端に１つだけ接合されているが、２つの基礎側取付部材７２を補強板３８の下端に接合するようにしてもよい。また、本実施形態では上側取付部材４２の取付孔４８は２つ設けられているが、３つ以上設けてもよい。更に、本実施形態では、基礎側取付部材７２と上側取付部材４２とを溶接により補強板３８に接合しているが、補強板３８の基部３８Ａの下端及び上端の少なくとも一部をそれぞれ折り曲げる等の方法により基礎側取付部材７２と上側取付部材４２とを形成し、補強板３８と一体成形してもよい。
【００４０】
図４に示されるように、２階部分に幅狭のＡＬＣ外壁パネル２２を適用する場合、補強板３８の下端には、「下部取付部材」としての下側取付部材４０が溶接により接合され、下側取付部材４０を梁４４の上フランジ４４Ａに締結固定することによりＡＬＣ外壁パネル２２が梁４４に固定されている。下側取付部材４０は、１階部分の「上部取付部材」としての上側取付部材４２と同じ構成を有するが、上側取付部材４２とは上下逆の方向で上フランジ４４Ａに取り付けられている。すなわち、下側取付部材４０の取付部４０Ａは、上フランジ４４Ａの上面に当接して載置され、２つの取付孔４８（図２を参照）のそれぞれにボルト８０が上フランジ４４Ａの側から挿通され、ナット８２に螺合されて２点で締結固定されている。接合部４０Ｂは、取付部４０Ａの屋外側端部から上に向かって延出され、２階部分の補強板３８の基部３８Ａの裏面の下端に当接されて、溶接により接合されている。２階部分の補強板３８の上端は、図４に示される１階部分の上端の固定と同様、２階部分の上部の梁（図示しない）の下フランジに上側取付部材４２を介して固定されている。
【００４１】
図７に示されるように、２階部分のバルコニーに面した箇所に幅狭のＡＬＣ外壁パネル２２を適用する場合には、ＡＬＣ外壁パネル２２の下部にバルコニーＡＬＣ床８４及び耐火材８６が配置されると共に、「他の部材」としての防水下地材８８による防水の立ち上げが形成されている。このため、補強板３８の下端と梁４４の上フランジ４４Ａとの距離が大きく、補強板３８を下側取付部材４０により上フランジ４４Ａに直接取り付けることができない。そこで、「下部取付部材」としての引掛け金具９０を基部３８Ａの裏面の下端近傍に溶接により接合し、上フランジ４４Ａに固定された防水下地材８８の上端に引掛けることにより、防水下地材８８を介して補強板３８を上フランジ４４Ａに取り付ける。
【００４２】
図８（Ａ）及び（Ｂ）に示されるように、引掛け金具９０は、補強板３８の基部３８Ａの裏面の下端近傍に当接されて溶接により接合される第１縦壁部９０Ａと、第１縦壁部９０Ａの下端から屋内側へ斜め下方に延出される段差部９０Ｂと、段差部９０Ｂの下端から補強板３８の基部３８Ａと平行に下方に延出される第２縦壁部９０Ｃと、第２縦壁部９０Ｃの下端から屋内側へ斜め下方に延出されるガイド部９０Ｄとにより構成されている。引掛け金具９０が取り付けられる防水下地材８８は、梁４４の上フランジ４４Ａにボルト締結される基部８８Ａと、基部８８Ａの屋内側端部から上に延出される立ち上がり部８８Ｂとにより構成されている（図７参照）。引掛け金具９０は、第２縦壁部９０Ｃと、補強板３８の基部３８Ａの裏面との間に防水下地材８８の立ち上がり部８８Ｂを挟み込むことにより補強板３８を防水下地材８８に固定するように構成されている。このため、第１縦壁部９０Ａと第２縦壁部９０Ｃとの段差（補強板３８の基部３８Ａの裏面と第２縦壁部９０Ｃとの距離ｄ）は、防水下地材８８の立ち上がり部８８Ｂの板厚と略同一となるように設定されている。ガイド部９０Ｄは、防水下地材８８への取り付けの際に、引掛け金具９０を引掛け易くするためのガイドとして設けられている。なお、本実施形態では、引掛け金具９０は、幅が５０ｍｍ、高さが８５ｍｍ、第１縦壁部９０Ａと第２縦壁部９０Ｃとの段差（距離ｄ）が４ｍｍとして構成されると共に、補強板３８の基部３８Ａの裏面の下端近傍の同じ高さに２つ設けられているが、防水下地材８８の板厚やＡＬＣ外壁パネル２２の幅等に応じて、他の寸法としてもよいし、３つ以上設けてもよい。
【００４３】
図９には、本実施形態に係る外壁固定構造３４をパラペットに適用した場合の構成を示す縦断面図が示されている。最上階（３階）のパラペット部分に適用される幅狭のＡＬＣ外壁パネル１００は、最上階の屋外側を覆う本体部１０２と、ルーフスラブライン（仮想線ＲＳＬとして図示）よりも上まで延長されて形成されたパラペット部１０４とが一体に形成されている。補強板１０６も同様に、ＡＬＣ外壁パネル１００の本体部１０２の裏面に当接された本体部１０８と、ルーフスラブライン（ＲＳＬ）よりも上まで延長されてＡＬＣ外壁パネル１００のパラペット部１０４の裏面に当接された延長部１１０とが一体に形成されている。本体部１０８は、基部１０８Ａ及び折り曲げ部１０８Ｂを備え、延長部１１０は、基部１１０Ａ及び折り曲げ部１１０Ｂを備えている。延長部１１０の基部１１０Ａの裏面の下端には、「上部取付部材」としての上側取付部材１１２が溶接により接合されている。図４に示される１階部分の「上部取付部材」としての上側取付部材４２が補強板３８の上端に接合されているのに対して、上側取付部材１１２は補強板１０６の延長部１１０の下端に接合されているので、補強板１０６の上端よりも下方に接合されている。上側取付部材１１２は、図４に示される下側取付部材４０と同様の構成を有し、取付部１１２Ａと接合部１１２Ｂとにより構成されており、取付部１１２Ａが、梁１１４の上フランジ１１４Ａの上面に２点で締結固定されている。但し、２階部分の下側取付部材４０が補強板３８の基部３８Ａの下端に接合される「下部取付部材」であるのに対して、上側取付部材１１２は、補強板１０６の上端近傍に接合される「上部取付部材」である点が異なっている。
【００４４】
図１０には、本実施形態に係る外壁固定構造３４の補強板１２０がチャンバ扉枠１２２の固定下地とされた状態が示されている。ここで、チャンバ扉枠１２２に対して回動可能に固定されたチャンバ扉１２４は、一例としてガスメーターボックス１２６の扉である。ＡＬＣ外壁パネル１２８は、図示しない基礎側取付部材７２及び上側取付部材４２によって、図示しない基礎及び梁にそれぞれ固定されている。補強板１２０は、基部１２０Ａと折り曲げ部１２０Ｂとにより構成され、折り曲げ部１２０Ｂは、図６に示される折り曲げ部３８Ｂよりも延長されて、折り曲げ部３８Ｂよりも幅広に構成されている。補強板１２０の折り曲げ部１２０Ｂにはチャンバ扉枠１２２に予め接合された取付金具１３０が当接されて、チャンバ扉枠１２２の側から挿入されるビス１３２が取付金具１３０の図示しない挿通孔及び折り曲げ部１２０Ｂを貫通してＡＬＣ外壁パネル１２８に側面から螺合されることにより、チャンバ扉枠１２２が補強板１２０を介してＡＬＣ外壁パネル１２８に固定されている。
【００４５】
（作用・効果）
次に、本実施形態の作用及び効果について説明する。
【００４６】
まず、基準幅のＡＬＣ外壁パネル５０を加工することにより、アンカー５２、５４を備えていない幅狭のＡＬＣ外壁パネル２２が得られる。補強板３８は、幅方向端部が略垂直に折り曲げられて、折り曲げ部３８Ｂが予め形成される。１階部分に使用される補強板３８の基部３８Ａの裏面の上端には上側取付部材４２が、下端には基礎側取付部材７２が溶接により予め接合される。
【００４７】
次いで、補強板３８がＡＬＣ外壁パネル２２に固定される。具体的には、折り曲げ部３８Ｂを幅狭のＡＬＣ外壁パネル２２の側面２２Ｃに当接させることにより、補強板３８をＡＬＣ外壁パネル２２に対して幅方向に位置決めすると共に、補強板３８の下端がＡＬＣ外壁パネル２２の下端と合うように上下方向の位置決めをし、補強板３８がＡＬＣ外壁パネル２２に接着剤により仮固定される。この状態で、ＡＬＣ外壁パネル２２の意匠面２２Ａ側から複数のビス３６が挿入され、ＡＬＣ外壁パネル２２を貫通すると共に、補強板３８の基部３８Ａの幅方向中央部を貫通し、補強板３８がＡＬＣ外壁パネル２２に固定される。
【００４８】
その後、建築現場にて、予め構築された梁４４及び基礎６０に対して、補強板３８に設けられた上側取付部材４２及び基礎側取付部材７２がそれぞれ取り付けられる。具体的には、上側取付部材４２の取付部４２Ａが梁４４の下フランジ４４Ｂの下面に当接されて取付部４２Ａの２つの取付孔４８が下フランジ４４Ｂの屋外側の２つの貫通孔４６と同軸上に配置された状態で、上から（下フランジ４４Ｂの側から）挿入されたボルト７６がナット７８に螺合されて上側取付部材４２が梁４４に取り付けられる。また、基礎側取付部材７２の底壁部７２Ａに設けられた挿通孔７４が基礎６０に固定された柱脚プレート６２に形成された雌ねじ部６８と同軸上に配置されて、上から挿入された雄ねじ７０が螺合されて基礎側取付部材７２が柱脚プレート６２を介して基礎６０に取り付けられる。
【００４９】
２階部分に使用される幅狭のＡＬＣ外壁パネル２２では、補強板３８の基部３８Ａの裏面の上端には上側取付部材４２が、下端には下側取付部材４０又は引掛け金具９０が溶接により予め接合されている。下端に下側取付部材４０を用いる場合には、建築現場では、梁４４の上フランジ４４Ａにボルト締結される。また、下端に引掛け金具９０を用いる場合には、ガイド部９０Ｄを防水下地材８８の立ち上がり部８８Ｂの上端に引掛けて、第２縦壁部９０Ｃと、補強板３８の基部３８Ａの裏面との間に防水下地材８８の立ち上がり部８８Ｂを挟み込むことにより補強板３８が防水下地材８８に固定される。
【００５０】
このように本実施形態では、アンカーを備えず基準幅よりも幅狭のＡＬＣ外壁パネル２２の裏面２２Ｂにビス固定された補強板３８が、ＡＬＣ外壁パネル２２に当接してＡＬＣ外壁パネル２２の下端から上端近傍まで延在されるので、幅狭のＡＬＣ外壁パネル２２が補強される。また、補強板３８の基部３８Ａの裏面の上端には、上側取付部材４２が、下端には基礎側取付部材７２（２階部分の場合には下側取付部材４０又は引掛け金具９０）が溶接により予め接合される。そして、上側取付部材４２及び基礎側取付部材７２が梁４４及び基礎６０にそれぞれ取り付けられることにより、結果としてＡＬＣ外壁パネルが梁４４及び基礎６０に固定されることとなる。上側取付部材４２及び基礎側取付部材７２が補強板３８に設けられており、ＡＬＣ外壁パネル２２に直接固定されていない構成を採用することにより、補強板と取付部材とをＡＬＣ外壁パネルに固定して、更に取付部材により建物躯体に固定する場合に比べて、少ない部材による簡単な構成で、アンカーを備えていないＡＬＣ外壁パネル２２を梁４４及び基礎６０に固定することできる。
【００５１】
また、本実施形態では、ＡＬＣ外壁パネル２２の裏面２２Ｂに補強板３８を固定するために、ＡＬＣ外壁パネル２２の意匠面（２２Ａ）側からビス３６が挿入されるため、ビス３６の頭部の径を有する小さな凹み（例えば直径約１０ｍｍ）をパテで埋める作業だけで済み、ボルト、ナット及び座金等をＡＬＣ外壁パネルに埋設する場合に必要となる座掘りの作業や、座掘部分の補修、意匠の再構築を要しない。
【００５２】
さらに、本実施形態では、補強板３８の取付部材を梁４４又は基礎６０に直接固定することが困難な構成においても、他の建築部材の固定に使用される柱脚プレート６２や、防水下地材８８を介して固定されるため、追加の部材を要さずに、アンカーを備えていない幅狭のＡＬＣ外壁パネル２２を少ない部材による簡単な構成により梁４４又は基礎６０に固定することができる。
【００５３】
また、補強板３８にはＡＬＣ外壁パネルの側面に沿って折り曲げられている折り曲げ部３８Ｂが設けられており、補強板３８をＡＬＣ外壁パネル２２に固定する際には、折り曲げ部３８Ｂを幅狭のＡＬＣ外壁パネル２２の側面２２Ｃに当接させることにより、補強板３８をＡＬＣ外壁パネル２２に対して幅方向に位置決めすることができる。さらに、補強板３８に折り曲げ部３８Ｂが設けられていることにより、補強板３８の剛性が増し、ＡＬＣ外壁パネル２２の裏面２２Ｂに当接している補強板３８の撓み及び捩れが抑制される。その結果、ＡＬＣ外壁パネル２２の破損等を抑制又は防止することができる。
【００５４】
さらに、上側取付部材４２及び下側取付部材４０は、２つの取付孔４８を備えることにより、２点で下フランジ４４Ｂ及び上フランジ４４Ａにそれぞれ締結固定される。また、防水下地材８８に取り付けるための引掛け金具９０は、少なくとも２つ設けられており、２点で防水下地材に固定されている。このように、補強板３８の上部及び下部に設けられた取付部材の上下少なくとも一方は、少なくとも２点で梁４４又は他の部材に固定されていることから、１点で固定している場合に比べて補強板の回転を抑制又は防止することができ、結果としてＡＬＣ外壁パネル２２の固定をより強固にすることができる。
【００５５】
また、補強板１２０の折り曲げ部１２０Ｂを、チャンバ扉枠１２２の固定下地とすることができるため、チャンバ扉枠１２２の固定のための追加の固定下地を要さず、ＡＬＣ外壁固定構造３４の一部を他の用途に有効活用することにより部材点数を削減することができる。
【符号の説明】
【００５６】
１０      建物
２２      幅狭のＡＬＣ外壁パネル
３４      外壁固定構造
３６      ビス
３８      補強板
３８Ｂ    折り曲げ部
４０      下側取付部材（下部取付部材）
４２      上側取付部材（上部取付部材）
４４      梁
６０      基礎
６２      柱脚プレート（他の部材）
７２      基礎取付部材（下部取付部材）
８８      防水下地材（他の部材）
９０      引掛け金具（下部取付部材）
１００    幅狭のＡＬＣ外壁パネル
１０６    補強板
１０８Ｂ  折り曲げ部
１１０Ｂ  折り曲げ部
１１２    上側取付部材（上部取付部材）
１１４    梁
１２０    補強板
１２０Ｂ  折り曲げ部
１２２    チャンバ扉枠（他の建築部材）
１２８    幅狭のＡＬＣ外壁パネル
【図１】
2019124005.tif 000003
【図２】
2019124005.tif 000004
【図３】
2019124005.tif 000005
【図４】
2019124005.tif 000006
【図５】
2019124005.tif 000007
【図６】
2019124005.tif 000008
【図７】
2019124005.tif 000009
【図８】
2019124005.tif 000010
【図９】
2019124005.tif 000011
【図１０】
2019124005.tif 000012